(57)【要約】【課題】複数のコマンド入力による動作処理を一のカスタマイズコマンド入力により制御することができ、ユーザによってより使い勝手のよい電子機器を提供することである。【解決手段】ディジタルテレビ受像機１００において、設定手段（マイク付きリモコン等）によってカスタマイズコマンド情報を設定し、特定手段（マイク付きリモコン）によってユーザ所望の複数のコマンド情報を特定し、カスタマイズコマンド情報登録手段（ＣＰＵ１２１、カスタマイズコマンド情報登録プログラム）によって、カスタマイズコマンド情報記憶手段（カスタマイズコマンドテーブル１２３ｂ）にカスタマイズコマンド情報を登録し、制御手段（ＣＰＵ１２１、制御プログラム１２３ｆ）によって、カスタマイズコマンド情報に対応付けられて登録されたコマンド情報に対応する制御情報に基づいて制御を行う。【選択図】図１
2007323296.tif 000002
【特許請求の範囲】
【請求項１】
音声によりコマンド情報を入力することで各種動作を実行させることができる電子機器において、
前記コマンド情報と、当該電子機器の動作制御を行う制御情報とを対応付けて記憶するコマンド情報記憶手段と、
外部から入力される音声情報を取得する音声情報取得手段と、
前記音声情報取得手段により取得された音声情報の音声認識処理を行う音声認識手段と、
前記コマンド情報記憶手段に記憶されたコマンド情報のうち、ユーザ所望の複数のコマンド情報に対応付けられるカスタマイズコマンド情報を、前記音声認識手段による音声認識結果に基づいて設定する設定手段と、
前記設定手段により設定されたカスタマイズコマンド情報に対応付けるユーザ所望の複数のコマンド情報を特定する特定手段と、
前記特定手段によりユーザ所望の複数のコマンド情報を特定する際、特定されたコマンド情報に対応する制御内容を表示手段に表示する表示制御手段と、
前記設定手段により設定されたカスタマイズコマンド情報と、前記特定手段により特定されたユーザ所望の複数のコマンド情報とを対応付けてカスタマイズコマンド情報記憶手段に登録するカスタマイズコマンド情報登録手段と、
前記音声認識手段による音声認識結果に基づき得られたカスタマイズコマンド情報が、前記カスタマイズコマンド情報記憶手段に登録されたカスタマイズコマンド情報に該当する場合、当該カスタマイズコマンド情報に対応付けられて前記カスタマイズコマンド情報記憶手段に登録されたコマンド情報に対応する制御情報に基づいて当該電子機器の動作制御を行う制御手段と、
前記カスタマイズコマンド情報記憶手段に登録されたカスタマイズコマンド情報に対応付けられたコマンド情報の追加／削除を行うカスタマイズコマンド情報変更手段と、
を備えることを特徴とする電子機器。
【請求項２】
コマンド情報を入力するための入力手段を有し、当該入力手段によりコマンド情報を入力することで各種動作を実行させることができる電子機器において、
前記コマンド情報と、当該電子機器の動作制御を行う制御情報とを対応付けて記憶するコマンド情報記憶手段と、
前記コマンド情報記憶手段に記憶されたコマンド情報のうち、ユーザ所望の複数のコマンド情報に対応付けられるカスタマイズコマンド情報を設定する設定手段と、
前記設定手段により設定されたカスタマイズコマンド情報に対応付けるユーザ所望の複数のコマンド情報を特定する特定手段と、
前記設定手段により設定されたカスタマイズコマンド情報と、前記特定手段により特定されたユーザ所望の複数のコマンド情報とを対応付けてカスタマイズコマンド情報記憶手段に登録するカスタマイズコマンド情報登録手段と、
前記入力手段により、前記カスタマイズコマンド情報記憶手段に登録された前記カスタマイズコマンド情報が入力された場合、当該カスタマイズコマンド情報に対応付けられて前記カスタマイズコマンド情報記憶手段に登録されたコマンド情報に対応する制御情報に基づいて当該電子機器の動作制御を行う制御手段と、
を備えることを特徴とする電子機器。
【請求項３】
前記特定手段によりユーザ所望の複数のコマンド情報を特定する際、特定されたコマンド情報に対応する制御内容を表示手段に表示する表示制御手段をさらに備える請求項２に記載の電子機器。
【請求項４】
外部から入力される音声情報を取得する音声情報取得手段と、
前記音声情報取得手段により取得された音声情報の音声認識処理を行う音声認識手段を備え、
前記設定手段は、前記音声認識手段による音声認識結果に基づいて、カスタマイズコマンド情報を設定し、
前記制御手段は、前記音声認識手段による音声認識結果に基づき得られたカスタマイズコマンド情報が、前記カスタマイズコマンド情報記憶手段に登録されたカスタマイズコマンド情報に該当する場合、当該カスタマイズコマンド情報に対応付けられて前記カスタマイズコマンド情報記憶手段に登録されたコマンド情報に対応する制御情報に基づいて当該電子機器の動作制御を行うことを特徴とする請求項２又は３に記載の電子機器。
【請求項５】
前記カスタマイズコマンド情報記憶手段に登録されたカスタマイズコマンド情報に対応付けられたコマンド情報の追加／削除を行うカスタマイズコマンド情報変更手段をさらに備えることを特徴とする請求項２〜４のいずれか一項に記載の電子機器。
【発明の詳細な説明】
【技術分野】
【０００１】
本発明は、コマンド情報を入力することにより各種制御を行うことができる電子機器に関する。
【背景技術】
【０００２】
近年、テレビやビデオ等の電子機器の多機能化・高機能化が進むに伴い、様々な機能に対応し、かつ簡易な操作が可能なものが求められ、現在では、このような操作にリモートコントローラによるキー操作、さらには音声認識機能を有し、キー操作、及び音声により遠隔操作を行うことができる電子機器が利用されている。
【０００３】
当該電子機器には、例えば、リモコン端末から音声入力があると、音声認識部で音声認識され、キーワードが抽出される。かかるキーワードをもとに選択候補となり得る制御項目が検索され、テレビ画面上に表示された制御項目のうち、所望の制御項目を選択指示し、操作キーの“選択”キーを操作すると、当該制御項目の制御コードが取得され、当該制御コードに基づく制御を行う電子機器が知られている（特許文献１参照）。
【０００４】
また、操作装置が、入力された音声と電子機器へのコマンドを多重化して、多重化信号を生成し、この多重化信号を電子機器に送信し、電子機器が、当該多重化信号を受信し、受信した多重化信号より、音声とコマンドを分離して、分離した音声を認識し、認識した認識内容、および、分離されたコマンドに対応して、自らの動作を制御する電子機器が知られている（特許文献２参照）。
【０００５】
また、認識された音声信号により示される制御情報はリモコンパルスへ変換され、機器制御部へ送出され、機器制御部により扱われるべき制御情報が従来のものと共通のデータ形態、すなわちリモコンパルスで表される、というようにユーザからの制御情報がリモコン送信器からのリモコン信号又は音声信号のいずれのデータ形態で入力されるときでも、機器制御部が従来と同様な一系統として統合された機器が知られている（特許文献３参照）。
【０００６】
また、電源の入／切や選局、音量の切換え操作などについて、一旦音声データとして制御部に記憶させておき、それ以降は、音声入力部への音声の入力によって簡易に遠隔操作を行うことができる電子機器が知られている（特許文献４参照）。
【特許文献１】特開２００６−０３３７９５号公報
【特許文献２】特開２００３−２５００６１号公報
【特許文献３】特開２００３−２１９２０１号公報
【特許文献４】特開２００３−１１１１６４号公報
【発明の開示】
【発明が解決しようとする課題】
【０００７】
しかしながら、特許文献１〜４に開示された電子機器は、リモコンによるキー操作と音声による遠隔操作を併用することで簡易な操作が可能となるが、ユーザにより設定された一のコマンド入力により複数のコマンド入力に対応した動作処理を電子機器に実行させるというようなコマンドをカスタマイズする構成ではないので、ユーザが所望する動作処理を電子機器に行わせる場合、ユーザは複数のコマンド入力又は音声入力を要する場合があるため、煩雑であった。
【０００８】
本発明の課題は、複数のコマンド入力による動作処理を一のカスタマイズコマンド入力により制御することができ、ユーザによってより使い勝手のよい電子機器を提供することである。
【課題を解決するための手段】
【０００９】
上記課題を解決するため、請求項１に記載の発明は、音声によりコマンド情報を入力することで各種動作を実行させることができる電子機器において、
前記コマンド情報と、当該電子機器の動作制御を行う制御情報とを対応付けて記憶するコマンド情報記憶手段と、
外部から入力される音声情報を取得する音声情報取得手段と、
前記音声情報取得手段により取得された音声情報の音声認識処理を行う音声認識手段と、
前記コマンド情報記憶手段に記憶されたコマンド情報のうち、ユーザ所望の複数のコマンド情報に対応付けられるカスタマイズコマンド情報を、前記音声認識手段による音声認識結果に基づいて設定する設定手段と、
前記設定手段により設定されたカスタマイズコマンド情報に対応付けるユーザ所望の複数のコマンド情報を特定する特定手段と、
前記特定手段によりユーザ所望の複数のコマンド情報を特定する際、特定されたコマンド情報に対応する制御内容を表示手段に表示する表示制御手段と、
前記設定手段により設定されたカスタマイズコマンド情報と、前記特定手段により特定されたユーザ所望の複数のコマンド情報とを対応付けてカスタマイズコマンド情報記憶手段に登録するカスタマイズコマンド情報登録手段と、
前記音声認識手段による音声認識結果に基づき得られたカスタマイズコマンド情報が、前記カスタマイズコマンド情報記憶手段に登録されたカスタマイズコマンド情報に該当する場合、当該カスタマイズコマンド情報に対応付けられて前記カスタマイズコマンド情報記憶手段に登録されたコマンド情報に対応する制御情報に基づいて当該電子機器の動作制御を行う制御手段と、
前記カスタマイズコマンド情報記憶手段に登録されたカスタマイズコマンド情報に対応付けられたコマンド情報の追加／削除を行うカスタマイズコマンド情報変更手段と、
を備えることを特徴とする。
【００１０】
請求項２に記載の発明は、コマンド情報を入力するための入力手段を有し、当該入力手段によりコマンド情報を入力することで各種動作を実行させることができる電子機器において、
前記コマンド情報と、当該電子機器の動作制御を行う制御情報とを対応付けて記憶するコマンド情報記憶手段と、
前記コマンド情報記憶手段に記憶されたコマンド情報のうち、ユーザ所望の複数のコマンド情報に対応付けられるカスタマイズコマンド情報を設定する設定手段と、
前記設定手段により設定されたカスタマイズコマンド情報に対応付けるユーザ所望の複数のコマンド情報を特定する特定手段と、
前記設定手段により設定されたカスタマイズコマンド情報と、前記特定手段により特定されたユーザ所望の複数のコマンド情報とを対応付けてカスタマイズコマンド情報記憶手段に登録するカスタマイズコマンド情報登録手段と、
前記入力手段により、前記カスタマイズコマンド情報記憶手段に登録された前記カスタマイズコマンド情報が入力された場合、当該カスタマイズコマンド情報に対応付けられて前記カスタマイズコマンド情報記憶手段に登録されたコマンド情報に対応する制御情報に基づいて当該電子機器の動作制御を行う制御手段と、
を備えることを特徴とする。
【００１１】
請求項３に記載の発明は、請求項２に記載の発明において、
前記特定手段によりユーザ所望の複数のコマンド情報を特定する際、特定されたコマンド情報に対応する制御内容を表示手段に表示する表示制御手段をさらに備えることを特徴とする。
【００１２】
請求項４に記載の発明は、請求項２又は３に記載の発明において、
外部から入力される音声情報を取得する音声情報取得手段と、
前記音声情報取得手段により取得された音声情報の音声認識処理を行う音声認識手段を備え、
前記設定手段は、前記音声認識手段による音声認識結果に基づいて、カスタマイズコマンド情報を設定し、
前記制御手段は、前記音声認識手段による音声認識結果に基づき得られたカスタマイズコマンド情報が、前記カスタマイズコマンド情報記憶手段に登録されたカスタマイズコマンド情報に該当する場合、当該カスタマイズコマンド情報に対応付けられて前記カスタマイズコマンド情報記憶手段に登録されたコマンド情報に対応する制御情報に基づいて当該電子機器の動作制御を行うことを特徴とする。
【００１３】
請求項５に記載の発明は、請求項２〜４の何れか一項に記載の発明において、
前記カスタマイズコマンド情報記憶手段に登録されたカスタマイズコマンド情報に対応付けられたコマンド情報の追加／削除を行うカスタマイズコマンド情報変更手段をさらに備えることを特徴とする。
【発明の効果】
【００１４】
請求項１に記載の発明によれば、コマンド情報記憶手段によって、コマンド情報と、当該電子機器の動作制御を行う制御情報とを対応付けて記憶することができ、音声情報取得手段によって、外部から入力される音声情報を取得することができ、音声認識手段によって、音声情報取得手段により取得された音声情報の音声認識処理を行うことができ、設定手段によって、コマンド情報記憶手段に記憶されたコマンド情報のうち、ユーザ所望の複数のコマンド情報に対応付けられるカスタマイズコマンドを、音声認識手段による音声認識結果に基づいて設定することができ、特定手段によって、設定手段により設定されたカスタマイズコマンド情報に対応付けるユーザ所望の複数のコマンド情報を特定することができ、表示制御手段によって、特定手段によりユーザ所望の複数のコマンド情報を特定する際、特定されたコマンド情報に対応する制御内容を表示手段に表示することができ、カスタマイズコマンド情報登録手段によって、設定手段により設定されたカスタマイズコマンド情報と、特定手段により特定されたユーザ所望の複数のコマンド情報とを対応付けてカスタマイズコマンド情報記憶手段に登録することができ、制御手段によって、音声認識手段による音声認識結果に基づき得られたカスタマイズコマンド情報が、カスタマイズコマンド情報記憶手段に登録されたカスタマイズコマンド情報に該当する場合、当該カスタマイズコマンド情報に対応付けられてカスタマイズコマンド情報記憶手段に登録されたコマンド情報に対応する制御情報に基づいて当該電子機器の動作制御を行うことができる。
従って、ユーザ所望の複数のコマンド情報を、ユーザにより設定されるカスタマイズコマンド情報に対応付けて登録することができることとなって、複数のコマンド情報の入力を要する動作制御を、当該登録されたカスタマイズコマンド情報を入力するだけで行うことができ、ユーザにとってより使い勝手がよい。
さらに、ユーザ所望の複数のコマンド情報を特定する際、特定したコマンド情報を視認することができることとなって、カスタマイズコマンド情報の登録における誤登録を好適に防止することができる。
さらに、カスタマイズコマンド情報を設定する際、及びカスタマイズコマンド情報に基づく当該電子機器の動作制御をする際、音声情報の入力により行うことができることとなって、ユーザにとってさらに使い勝手が良い。
また、カスタマイズコマンド情報変更手段によって、カスタマイズコマンド情報記憶手段に登録されたカスタマイズコマンド情報に対応付けられたコマンド情報の追加／削除を行うことができる。
従って、状況に応じて、ユーザ所望の複数のコマンド情報を変更することができることとなって、より好適なカスタマイズコマンド情報を構成することができる。
【００１５】
請求項２に記載の発明によれば、コマンド情報記憶手段によって、コマンド情報と、当該電子機器の動作制御を行う制御情報とを対応付けて記憶することができ、設定手段によって、コマンド情報記憶手段に記憶されたコマンド情報のうち、ユーザ所望の複数のコマンド情報に対応付けられるカスタマイズコマンド情報を設定することができ、特定手段によって、設定手段により設定されたカスタマイズコマンド情報に対応付けるユーザ所望の複数のコマンド情報を特定することができ、カスタマイズコマンド情報登録手段によって、設定手段により設定されたカスタマイズコマンド情報と、特定手段により特定されたユーザ所望の複数のコマンド情報とを対応付けてカスタマイズコマンド情報記憶手段に登録することができ、入力手段により、カスタマイズコマンド情報記憶手段に登録されたカスタマイズコマンド情報が入力された場合、制御手段によって、当該カスタマイズコマンド情報に対応付けられてカスタマイズコマンド情報記憶手段に登録されたコマンド情報に対応する制御情報に基づいて当該電子機器の動作制御を行うことができる。
従って、ユーザ所望の複数のコマンド情報を、ユーザにより設定されるカスタマイズコマンド情報に対応付けて登録することができることとなって、複数のコマンド情報の入力を要する動作制御を、当該登録されたカスタマイズコマンド情報を入力するだけで行うことができ、ユーザにとってより使い勝手がよい。
【００１６】
請求項３に記載の発明によれば、請求項２に記載の発明と同様の効果が得られることは無論のこと、表示制御手段によって、特定手段によりユーザ所望の複数のコマンド情報を特定する際、特定されたコマンド情報に対応する制御内容を表示手段に表示することができる。
従って、ユーザ所望の複数のコマンド情報を特定する際、特定したコマンド情報を視認することができることとなって、カスタマイズコマンド情報の登録における誤登録を好適に防止することができる。
【００１７】
請求項４に記載の発明によれば、請求項２又は３に記載の発明と同様の効果が得られることは無論のこと、音声情報取得手段によって、外部から入力される音声情報を取得することができ、音声認識手段によって、音声情報取得手段により取得された音声情報の音声認識処理を行うことができ、設定手段によって、音声認識手段による音声認識結果に基づいて、カスタマイズコマンド情報を設定することができ、制御手段によって、音声認識手段による音声認識結果に基づき得られたカスタマイズコマンド情報が、カスタマイズコマンド情報記憶手段に登録されたカスタマイズコマンド情報に該当する場合、当該カスタマイズコマンド情報に対応付けられてカスタマイズコマンド情報記憶手段に登録されたコマンド情報に対応する制御情報に基づいて当該電子機器の動作制御を行うことができる。
従って、カスタマイズコマンド情報を設定する際、及びカスタマイズコマンド情報に基づく当該電子機器の動作制御をする際、音声情報の入力により行うことができることとなって、ユーザにとってさらに使い勝手が良い。
【００１８】
請求項５に記載の発明によれば、請求項２〜４の何れか一項に記載の発明と同様の効果が得られることは無論のこと、カスタマイズコマンド情報変更手段によって、カスタマイズコマンド情報記憶手段に登録されたカスタマイズコマンド情報に対応付けられたコマンド情報の追加／削除を行うことができる。
従って、状況に応じて、ユーザ所望の複数のコマンド情報を変更することができることとなって、より好適なカスタマイズコマンド情報を構成することができる。
【発明を実施するための最良の形態】
【００１９】
以下、図面を参照しながら、本発明の実施の形態を詳細に説明する。
なお、本実施の形態では、電子機器として、ディジタルテレビ受像機を例に説明する。しかし、電子機器はこれに限られることなく、例えば、ビデオやエアコン等の家電機器であっても良い。
【００２０】
まず、図１を参照しながら、機器全体の構成及び要部構成について説明する。
本実施形態のディジタルテレビ受像機１００は、例えば、テレビジョン放送信号（以下、放送信号という。）を受信し、受信した放送信号を、所定の出力信号に変換し、映像／音声データを出力する機器本体部１と、ユーザが音声情報を機器本体部１に無線で出力することができると共に操作キーの押下操作により入力操作信号を送信することができるマイク付きリモートコントロール装置（以下、マイク付きリモコンという。）２と、を備えて構成されている。
【００２１】
次に、ディジタルテレビ受像機１００の要部構成について説明する。
機器本体部１は、放送信号を受信するアンテナ３と、アンテナ３により受信された放送信号から所定の放送チャンネルの放送信号を選局するチューナ４と、チューナ４から出力された放送信号の復調及び誤り訂正処理を行う復調部５と、復調部５で復調された放送信号から各データを分離抽出することで、映像／音声データを取得するデマルチクサ６と、デマルチクサ６で取得された映像／音声データに伸張処理を行うデコーダ７と、デコーダ７で伸張された映像データにＯＳＤデータを付加するＯＳＤ（On-Screen Display）処理部８と、デコーダ７、ＯＳＤ処理部８で処理された映像／音声データを出力する表示手段としての受像部９と、マイク付きリモコン２の操作キーの押下操作による入力操作信号を受信するとともに、当該入力操作信号を制御部１２に出力するリモコン信号受光部１０と、音声情報を取得する音声情報取得部１１と、機器本体部１全体を統括制御する制御部１２と、各部を接続する制御バス１３と、を備えて構成されている。
【００２２】
リモコン信号受光部１０は、マイク付きリモコン２に備わる各種キーがユーザにより押下操作されることにより出力された赤外線等の入力操作信号を受信し、当該入力操作信号を制御部１２に出力する。
【００２３】
音声情報取得部１１は、例えば、マイクロホンが用いられ、音声をそのまま音声情報として取得する。
なお、音声情報取得部１１は、音声をそのまま音声情報として取得する場合に限らず、音声が音声信号に変換された後に、当該音声信号を音声情報として取得する設計であっても良い。
【００２４】
制御部１２は、例えば、図１に示すように、ＣＰＵ（Central Processing Unit）１２１と、ＲＡＭ（Random Access Memory）１２２と、記憶部１２３と、などを備えている。
【００２５】
ＣＰＵ１２１は、記憶部１２３に記憶された、コマンドテーブル、カスタマイズコマンドテーブル及び各種処理プログラムに従って各種の制御動作を行う。
【００２６】
ＲＡＭ１２２は、ＣＰＵ１２１によって実行される処理プログラムなどを展開するためのプログラム格納領域や、入力データや上記処理プログラムが実行される際に生じる処理結果などを格納するデータ格納領域などを備える。
【００２７】
記憶部１２３は、機器本体部１で実行可能なシステムプログラム、当該システムプログラムで実行可能な各種処理プログラム、これら各種処理プログラムを実行する際に使用されるデータ、ＣＰＵ１２１によって演算処理された処理結果のデータなどを記憶する。なお、プログラムは、コンピュータが読み取り可能なプログラムコードの形で記憶部１２３に記憶されている。
具体的には、記憶部１２３には、例えば、図１に示すように、コマンドテーブル１２３ａ、カスタマイズコマンドテーブル１２３ｂ、音声認識プログラム１２３ｃ、カスタマイズコマンド情報登録プログラム１２３ｄ、表示制御プログラム１２３ｅ、制御プログラム１２３ｆ、カスタマイズコマンド情報変更プログラム１２３ｇ、などが記憶されている。
【００２８】
コマンドテーブル１２３ａは、コマンド情報と機器本体部１を制御するための制御情報と対応付けて記憶したテーブルである。
具体的には、図２−（ａ）に示すように、コマンドテーブル１２３ａは、例えば、コマンド情報「ボリュームダウン」と、かかるコマンド情報に対応する制御情報、即ち音量を下げるための制御情報とが対応付けられて、記憶部１２３に記憶されている。
記憶部１２３は、かかるコマンドテーブル１２３ａを記憶することで、コマンド情報記憶手段として機能する。
【００２９】
カスタマイズコマンドテーブル１２３ｂは、カスタマイズコマンド情報と、ユーザ所望の複数のコマンド情報とを対応付けて記憶したテーブルである。
具体的には、例えば、カスタマイズコマンド情報「うるさい」の入力に基づき、コマンド情報「ボリュームダウン」を５回入力、即ち、ボリュームを５段階下げる内容とすべく、図２−（ｂ）に示すように、カスタマイズコマンドテーブル１２３ｂは、ユーザにより設定されたカスタマイズコマンド情報「うるさい」にコマンド情報「ボリュームダウン」が５つ対応付けられて、記憶部１２３に記憶されている。
記憶部１２３は、かかるカスタマイズコマンドテーブル１２３ｂを記憶することで、カスタマイズコマンド情報記憶手段として機能する。
【００３０】
音声認識プログラム１２３ｃは、ＣＰＵ１２１に、音声情報取得部１１により取得した音声情報に対して音声認識処理を行う機能を実現させるプログラムである。
ここで、音声認識は、例えば、Ｊｕｌｉｕｓという音声認識ソフトウェアが用いられ、膨大な音声パターンと言語パターンの統計データを集積することにより実現される。音声認識の基本原理は、音響モデル（音素（ローマ字１文字にほぼ相当）や音節（かな１文字に相当））の周波数パターンを保持し、単語辞書を参照しながら、入力された音声の音声波形信号から単音節部分を切出した音節列信号とマッチングを行い、音声の認識を行う。
ＣＰＵ１２１は、かかる音声認識プログラム１２３ｃを実行することにより、音声認識手段として機能する。
【００３１】
カスタマイズコマンド情報登録プログラム１２３ｄは、ＣＰＵ１２１に、カスタマイズコマンドテーブル１２３ｂにカスタマイズコマンド情報を登録する機能を実現させるプログラムである。
具体的には、ＣＰＵ１２１は、カスタマイズコマンド情報登録プログラム１２３ｄを実行することにより、例えば、カスタマイズコマンド情報登録画面を受像部９に表示させる。そこで、設定手段として機能する音声情報取得部１１により取得された音声情報「うるさい」をＣＰＵ１２１が音声認識プログラム１２３ｃを実行することにより、得られたコマンド情報「うるさい」をカスタマイズコマンド情報として設定する。次に、特定手段として機能するマイク付きリモコン２に備わる各種操作キーのうち、「ボリュームダウン」キーを５回押下操作することにより得られたコマンド情報「ボリュームダウン」、「ボリュームダウン」、「ボリュームダウン」、「ボリュームダウン」、「ボリュームダウン」を特定し、入力手段として機能するマイク付きリモコン２の登録キーの押下操作により、図２に示すようなカスタマイズコマンド情報「うるさい」を登録する。
ＣＰＵ１２１は、かかるカスタマイズコマンド情報登録プログラム１２３ｄを実行することにより、カスタマイズコマンド情報登録手段として機能する。
【００３２】
表示制御プログラム１２３ｅは、ＣＰＵ１２１がカスタマイズコマンド情報登録プログラム１２３ｄを実行する際、特定されたユーザ所望の複数のコマンド情報を受像部９に表示する機能を実現させるプログラムである。
具体的には、例えば、ＣＰＵ１２１がカスタマイズコマンド情報登録プログラム１２３ｄを実行する際、ユーザにより、特定手段として機能するマイク付きリモコン２に備わる各種操作キーのうち、「ボリュームダウン」キーを５回押下操作することにより得られたコマンド情報「ボリュームダウン」、「ボリュームダウン」、「ボリュームダウン」、「ボリュームダウン」、「ボリュームダウン」を特定し、図３に示すような表示制御を行い、受像部９に表示する。
ＣＰＵ１２１は、かかる表示制御プログラム１２３ｅを実行することにより、表示制御手段として機能する。
【００３３】
制御プログラム１２３ｆは、ＣＰＵ１２１に、カスタマイズコマンド情報に対応する制御を実行する機能を実現させるプログラムである。
具体的には、例えば、ＣＰＵ１２１が音声認識プログラム１２３ｃを実行することにより得られたカスタマイズコマンド情報が、カスタマイズコマンドテーブル１２３ｂに登録されたカスタマイズコマンド情報に該当する場合、ＣＰＵ１２１は、制御プログラム１２３ｆを実行することにより、当該カスタマイズコマンド情報に対応付けられてカスタマイズコマンドテーブル１２３ｂに登録されたコマンド情報に対応する制御情報に基づいて制御を行う。
ＣＰＵ１２１は、かかる制御プログラム１２３ｆを実行することにより、制御手段として機能する。
【００３４】
カスタマイズコマンド情報変更プログラム１２３ｇは、ＣＰＵ１２１に、カスタマイズコマンドテーブル１２３ｂに登録されたカスタマイズコマンド情報に対応付けられたコマンド情報の追加／削除を行う機能を実現させるプログラムである。
具体的には、例えば、ＣＰＵ１２１は、カスタマイズコマンド情報変更プログラム１２３ｇを実行することにより、カスタマイズコマンドテーブル１２３ｂを受像部９に表示させ、入力手段として機能するマイク付きリモコンの操作キーによるキー入力により、当該カスタマイズコマンドテーブル１２３ｂに登録されているカスタマイズコマンド情報に対応付けられたコマンド情報の追加又は／及び削除を行う。
ＣＰＵ１２１は、かかるカスタマイズコマンド情報変更プログラム１２３ｇを実行することにより、カスタマイズコマンド情報変更手段として機能する。
【００３５】
次に、本発明の機器本体部１によるカスタマイズコマンド情報の登録動作について、図４のフローチャートを参照して説明する。なお、ユーザが、カスタマイズコマンド情報として「うるさい」を登録する場合を想定して説明する。
【００３６】
まず、ステップＳ１において、ＣＰＵ１２１は、例えば、ユーザによるマイク付きリモコン２に備わる各種操作キーのうちの登録キー（図示省略）の押下による押下信号の入力に基づいて、カスタマイズコマンド情報登録プログラム１２３ｄを実行することにより、カスタマイズコマンド情報登録画面への移行を行う。
【００３７】
次いで、ステップＳ２において、ユーザが「うるさい」と発声することにより、設定手段として機能する音声情報取得部１１により音声情報「うるさい」が取得され、ＣＰＵ１２１が音声認識プログラム１２３ｃを実行することにより得られたコマンド情報「うるさい」をカスタマイズコマンド情報として設定する。ステップＳ２において、カスタマイズコマンド情報「うるさい」の設定が行われた場合（ステップＳ２；Ｙｅｓ）、ステップＳ３へ進む。一方、ステップＳ２において、カスタマイズコマンド情報の設定が行われない場合（ステップＳ２；Ｎｏ）、繰り返し、設定待機状態となる。
【００３８】
次いで、ステップＳ３において、ユーザが特定手段として機能するマイク付きリモコン２に備わる各種キーのうち、「ボリュームダウン」キーを５回押下操作することにより、カスタマイズするコマンド情報を特定する。ステップＳ３において、コマンド情報の特定が行われた場合（ステップＳ３；Ｙｅｓ）、ステップＳ４へ進む。一方、ステップＳ３において、コマンド情報の特定が行われない場合（ステップＳ３；Ｎｏ）、繰り返し、特定待機状態となる。
【００３９】
次いで、ステップＳ４において、ＣＰＵ１２１は、表示制御プログラム１２３ｅを実行することにより、ステップＳ３において特定されたコマンド情報「ボリュームダウン」５回に対応する制御内容を、例えば、図３に示すように、受像部９に表示し、ステップＳ５へ進む。
【００４０】
次いで、ステップＳ５において、ユーザは、受像部９に表示された制御内容を確認し、当該表示内容で良い場合（ステップＳ５；Ｙｅｓ）、ユーザは、マイク付きリモコン２の登録キー（図示省略）を押下操作し、ステップＳ６へ進む。一方、ステップＳ５において、受像部９に表示された制御内容が正しくない場合（ステップＳ５；Ｎｏ）、ユーザは、マイク付きリモコン２に備わる各種操作キーのうちの取り消しキー（図示省略）を押下操作し、ステップＳ３へ戻り、再度、コマンド情報の特定を行う。
【００４１】
次いで、ステップＳ６において、ＣＰＵ１２１は、カスタマイズコマンド情報登録プログラム１２３ｄを実行することにより、カスタマイズコマンド情報「うるさい」をカスタマイズコマンドテーブル１２３ｂに登録し、本処理を終了する。
【００４２】
次に、本発明の機器本体部１におけるカスタマイズコマンド情報に基づく制御動作について、図５のフローチャートを参照して説明する。なお、ユーザが、「うるさい」と発声した場合を想定して説明する。
【００４３】
まず、ステップＳ１１において、機器本体部１は、音声情報取得待機状態にあり、ＣＰＵ１２１は、音声情報取得部１１により音声情報「うるさい」が取得されたと判断した場合（ステップＳ１１；Ｙｅｓ）、ステップＳ１２へ進む。一方、ＣＰＵ１２１が音声情報の取得がないと判断した場合（ステップＳ１１；Ｎｏ）は、繰り返し、音声情報取得待機状態となる。
【００４４】
次いで、ステップＳ１２において、ＣＰＵ１２１は、音声認識プログラム１２３ｃを実行することにより、取得された音声情報「うるさい」の音声認識を行い、ステップＳ１３へ進む。
【００４５】
次いで、ステップＳ１３において、ＣＰＵ１２１が音声認識プログラムを実行した結果、得られたカスタマイズコマンド情報「うるさい」がカスタマイズコマンドテーブル１２３ｂに登録されたカスタマイズコマンド情報に該当する場合（ステップＳ１３；Ｙｅｓ）、ステップＳ１４へ進む。一方、ステップＳ１３において、該当するカスタマイズコマンド情報がない場合（ステップＳ１３；Ｎｏ）、ステップＳ１４をスキップして本処理を終了する。
【００４６】
次いで、ステップＳ１４において、ＣＰＵ１２１は、制御プログラム１２３ｆを実行することにより、カスタマイズコマンド情報「うるさい」に対応する制御動作としてボリュームを５段階下げる制御を行い、本処理を終了する。
【００４７】
次に、本発明の機器本体部１におけるカスタマイズコマンドテーブル１２３ｂに登録されたコマンド情報の変更動作について、図６のフローチャートを参照して説明する。なお、ユーザが、カスタマイズコマンド情報「うるさい」に対応付けられたコマンド情報「ボリュームダウン」を１つ削除する場合を想定して説明する。
【００４８】
まず、ステップＳ２１において、例えば、ユーザによるマイク付きリモコン２に備わる各種操作キーのうちの変更キー（図示省略）の押下による押下信号の入力に基づいて、ＣＰＵ１２１は、カスタマイズコマンド情報変更プログラム１２３ｇを実行することにより、カスタマイズコマンドテーブル１２３ｂの内容を受像部９に表示する。
【００４９】
次いで、ステップＳ２２において、ユーザは、マイク付きリモコン２に備わる各種操作キーのうち、方向指示キー（図示省略）の押下操作により、カスタマイズコマンド情報「うるさい」に対応付けられたコマンド情報「５：ボリュームダウン」を指定し、マイク付きリモコン２に備わる各種操作キーのうち、削除キー（図示省略）の押下操作により、コマンド情報「５：ボリュームダウン」の削除を行い、ステップＳ２３へ進む。一方、ステップＳ２２において、コマンド情報の変更が行われない場合（ステップＳ２２；Ｎｏ）、繰り返し、変更待機状態となる。
【００５０】
次いで、ステップＳ２３において、ＣＰＵ１２１は、カスタマイズコマンド情報変更プログラムを実行することにより、変更後のカスタマイズコマンドテーブル１２３ｂの内容を受像部９に表示し、ステップＳ２４へ進む。
【００５１】
次いで、ステップＳ２４において、ユーザは、受像部９に表示された変更後のカスタマイズコマンド情報の内容を確認し、当該表示内容で良い場合（ステップＳ２４；Ｙｅｓ）、ユーザは、マイク付きリモコンの登録キー（図示省略）を押下操作し、ステップＳ２５へ進む。一方、ステップＳ２４において、受像部９に表示された変更後のカスタマイズコマンド情報が正しくない場合（ステップＳ２４；Ｎｏ）、ユーザは、繰り返し、ステップＳ２２へ戻り、再度、コマンド情報の変更を行う。
【００５２】
次いで、ステップＳ２５において、ＣＰＵ１２１は、カスタマイズコマンド情報変更プログラム１２３ｇを実行することにより、カスタマイズコマンド情報「うるさい」の変更登録を行い、本処理を終了する。
【００５３】
以上説明した本発明にかかるディジタルテレビ受像機１００によれば、コマンドテーブル１２３ａによって、コマンド情報と、当該ディジタルテレビ受像機１００の動作制御を行う制御情報とを対応付けて記憶することができ、音声情報取得部１１によって、外部から入力される音声情報を取得することができ、ＣＰＵ１２１が、音声認識プログラム１２３ｃを実行することによって、音声情報取得部１１により取得された音声情報の音声認識処理を行うことができ、ＣＰＵ１２１が、音声認識プログラム１２３ｃを実行することによって、音声情報取得部１１により取得された音声情報の音声認識結果を、コマンドテーブル１２３ａに記憶されたコマンド情報のうち、ユーザ所望の複数のコマンド情報に対応付けられるカスタマイズコマンド情報に設定することができ、マイク付きリモコン２に備わる操作キーの押下操作によって、当該設定されたカスタマイズコマンド情報に対応付けるユーザ所望の複数のコマンド情報を特定することができ、ＣＰＵ１２１が、表示制御プログラム１２３ｅを実行することによって、マイク付きリモコン２に備わる操作キーの押下操作によりユーザ所望の複数のコマンド情報を特定する際、特定されたコマンド情報に対応する制御内容を受像部９に表示することができ、ＣＰＵ１２１が、カスタマイズコマンド情報登録プログラム１２３ｄを実行することによって、当該設定されたカスタマイズコマンド情報と、当該特定されたユーザ所望の複数のコマンド情報とを対応付けてカスタマイズコマンドテーブル１２３ｂに登録することができ、ＣＰＵ１２１が、制御プログラムを実行することによって、音声認識プログラム１２３ｃの実行による音声認識結果に基づき得られたカスタマイズコマンド情報が、カスタマイズコマンドテーブル１２３ｂに登録されたカスタマイズコマンド情報に該当する場合、当該カスタマイズコマンド情報に対応付けられてカスタマイズコマンドテーブル１２３ｂに登録されたコマンド情報に対応する制御情報に基づいて当該ディジタルテレビ受像機１００の動作制御を行うことができる。
従って、ユーザ所望の複数のコマンド情報を、ユーザにより設定されるカスタマイズコマンド情報に対応付けて登録することができることとなって、複数のコマンド情報の入力を要する動作制御を、当該登録されたカスタマイズコマンド情報を入力するだけで行うことができ、ユーザにとってより使い勝手がよい。
さらに、ユーザ所望の複数のコマンド情報を特定する際、特定したコマンド情報を視認することができることとなって、カスタマイズコマンド情報の登録における誤登録を好適に防止することができる。
さらに、カスタマイズコマンド情報を設定する際、及びカスタマイズコマンド情報に基づく当該電子機器の動作制御をする際、音声情報の入力により行うことができることとなって、ユーザにとってさらに使い勝手が良い。
また、ＣＰＵ１２１が、カスタマイズコマンド情報変更プログラム１２３ｇを実行することによって、カスタマイズコマンドテーブル１２３ｂに登録されたカスタマイズコマンド情報に対応付けられたコマンド情報の追加／削除を行うことができる。
従って、状況に応じて、ユーザ所望の複数のコマンド情報を変更することができることとなって、より好適なカスタマイズコマンド情報を構成することができる。
【００５４】
なお、本発明は、上記実施の形態に限定されることなく、本発明の趣旨を逸脱しない範囲において、種々の改良並びに設計の変更を行っても良い。
例えば、特定手段は、本発明におけるマイク付きリモコンに備わる各種操作キーの押下操作に限らず、ユーザが、音声情報により所望のコマンド情報を発声し、当該音声情報を音声情報取得により取得し、音声認識結果に基づき得られたコマンド情報から特定することができ、又ユーザの選択により、ユーザ所望の複数のコマンド情報を特定する際、マイク付きリモコンに備わる各種操作キーの押下操作によるか音声情報の入力によるか自由に選択することが可能な設計であっても良い。
また同様に、カスタマイズコマンド情報を登録する際のマイク付きリモコンに備わる登録キー等の押下操作についても、音声情報の入力により登録等を行うことができ、又ユーザの選択により、マイク付きリモコンに備わる登録キー等の押下操作によるか音声情報の入力によるか自由に選択することが可能な設計であっても良い。
カスタマイズコマンド情報の設定は音声情報のみならず、例えば、マイク付きリモコンの複数の操作キーを同時に押下することによりカスタマイズコマンド情報を設定してもよい。これによれば、音声認識機能や新たな操作キーを必要とすることなく、ユーザ所望のカスタマイズコマンド情報を設定することができる。
また、音声認識手段は、ユーザ毎に対応付けられて予め記憶部に記憶されている各ユーザに適した音声信号の周波数パターンに関する音響モデルパターンを用いて、音声情報の音声認識を行う設計であっても良い。これにより、より正確な音声認識を行うことができる。
【図面の簡単な説明】
【００５５】
【図１】本発明にかかるディジタルテレビ受像機の要部構成を示すブロック図である。
【図２】（ａ）は、本発明におけるコマンドテーブルの１例を示す図であり、（ｂ）は、本発明におけるカスタマイズコマンドテーブルの１例を示す図である。
【図３】本発明における表示制御手段による表示例を示す図である。
【図４】本発明における機器本体部のカスタマイズコマンド情報の登録動作処理を示すフローチャートである。
【図５】本発明における機器本体部の制御動作処理を示すフローチャートである。
【図６】本発明における機器本体部のカスタマイズコマンド情報の変更動作処理を示すフローチャートである。
【符号の説明】
【００５６】
１００    ディジタルテレビ受像機（電子機器）
１        機器本体部
２        マイク付きリモコン（入力手段、設定手段、特定手段）
９        受像部（表示手段）
１０      リモコン信号受光部（入力手段、設定手段、特定手段）
１１      音声情報取得部（音声情報取得手段、入力手段、設定手段）
１２１    ＣＰＵ（音声認識手段、カスタマイズコマンド情報登録手段、表示制御手段、制御手段、カスタマイズコマンド情報変更手段）
１２３ａ  コマンドテーブル（コマンド情報記憶手段）
１２３ｂ  カスタマイズコマンドテーブル（カスタマイズコマンド情報記憶手段）
１２３ｃ  音声認識プログラム（音声認識出手段）
１２３ｄ  カスタマイズコマンド情報登録プログラム（カスタマイズコマンド情報登録手段）
１２３ｅ  表示制御プログラム（表示制御手段）
１２３ｆ  制御プログラム（制御手段）
１２３ｇ  カスタマイズコマンド情報変更プログラム（カスタマイズコマンド情報変更手段）
【図１】
2007323296.tif 000003
【図２】
2007323296.tif 000004
【図３】
2007323296.tif 000005
【図４】
2007323296.tif 000006
【図５】
2007323296.tif 000007
【図６】
2007323296.tif 000008